(57)【要約】【課題】衣類等のシミ抜きに必要な料金を見積る際に、シミや汚れの面積と程度を簡易かつ客観的に測るための測定シートを提供すること。【解決手段】衣類等をシミ抜きする際に、シミ抜きする部分のシミや汚れ等の面積及び程度を簡易かつ定量的に測定する測定シートにおいて、シートが無色もしくは着色された透明なものであることと、所定の長さで等間隔に並んだ、複数本の直線によって描かれた格子が描かれていることと、透明度の異なる複数枚の該測定がセットになっていることを特徴とする測定シートを提供する。【選択図】図１
0003140929.tif 000002
【実用新案登録請求の範囲】
【請求項１】
衣類等のシミ抜きや修繕を行う際に、シミ抜きや修繕する部分のシミや汚れ等の面積及び程度を簡易かつ定量的に測定するための測定シートであって、
シートが無色又は所定の透明度を有することと、
所定の間隔の格子が描かれていること
を特徴とする測定シート。
【請求項２】
透明度の異なる前記測定シート複数枚がセットになった、請求項１に記載の測定シートのセット。
【請求項３】
衣類の生地の色に合わせて着色されていることを特徴とする請求項１に記載の測定シート、又は請求項２に記載の測定シートのセット。
【請求項４】
衣類等のシミ抜きや修繕する部分のシミや汚れ等の面積及び程度を簡易かつ定量的に測定するための撮影装置であって、
それぞれ所定の間隔の格子が描かれており、無色及び所定の透明度を有する複数枚の測定シート１の画像データをインターネット等を介して受信し記憶するシート記憶部と、
前記シートのいずれかの画像データと衣類等のシミや汚れ等を重ね合わせて撮影するための重畳撮影部と
を備えることを特徴とする撮影装置。
【考案の詳細な説明】
【技術分野】
【０００１】
本考案は、衣類等をシミ抜きする際に、シミ抜きする部分のシミや汚れ等の面積及び程度を簡易かつ定量的に測定するための測定シートに関する。
【背景技術】
【０００２】
衣類にシミや汚れが付着した場合、特に着物のように慎重な扱いが必要なものでは、家庭で洗濯することは非常に困難であるため、クリーニング店や専門のシミ抜き業者にシミ抜きを依頼するのが一般的である。その際、シミや汚れの部分を特定して依頼することが多いため、一般的にシミ抜きの料金は、衣類上のシミや汚れの面積及び程度に基いて決められる。
【０００３】
従来は、業者が現物を視認してから業者の主観によって料金を提示することが多かったため、料金基準が曖昧なものとなり、依頼者が自ら料金を予想することは非常に困難であった。また、依頼者は料金の見積りのために衣類を業者に持ち込む、又は業者が依頼者のところまで出向かなくてはならず、多大な労力が必要であった。
【０００４】
このような現状を鑑み、通信ネットワークを介してデジタルカメラ等の画像データを利用する見積りシステムが考案されている（特許文献１参照）。しかし、デジタルカメラの画像では、シミや汚れの正確な面積や程度は分からず、客観的な基準を設けているとは言い難い。
【０００５】
別の技術分野では同様の問題を解決するために、車のキズやへこみを修復する際に簡易かつ客観的な測定をするための測定シートが考案されている（特許文献２参照）。しかし、衣類のシミ抜きの際には面積以外にシミや汚れの程度も問題になってくるため、面積を測定するだけのシートではシミ抜きの料金を見積るには不十分であった。
【０００６】
また、シミ抜きは薬剤等を使用して行われるが、シミを完全に取ろうとすると、衣類の生地を傷めることになる。そのため、一般的なシミ抜き作業は完全にシミを取ることはせず、予め業者と依頼者の間で仕上がりの程度を決めておくことが多い。しかしこの場合、シミ抜きが仕上がった際に、残ったシミや汚れの程度によっては、業者と依頼者の間の認識の違いから、トラブルに発展する可能性もあった。このため、シミ抜きの前にどの程度までシミや汚れを除去することができるのかについても、依頼者と業者の間で共通の認識を持っておく必要があり、シミ抜きの前後でどれだけの効果があったかを示すためにも、簡易かつ客観的にシミや汚れの程度を相互認識するための手段が必要であった。
【０００７】
シミや汚れとともに、衣類にできた生地のほつれや穴を修繕する際も専門の業者に依頼することが一般的である。このときもシミ抜きと同様に、客観的に生地のほつれや穴の面積を測る必要があった。
【特許文献１】特開２００５−４４１０１
【特許文献２】特開平１１−７８８０７
【考案の開示】
【考案が解決しようとする課題】
【０００８】
本考案が解決しようとする課題は、衣類等のシミ抜きに必要な料金を見積る際に、シミや汚れの面積と程度を簡易かつ客観的に測るための測定シートを提供することである。
【課題を解決するための手段】
【０００９】
衣類等のシミ抜きや修繕を行う際に、シミ抜きや修繕する部分のシミや汚れ等の面積及び程度を簡易かつ定量的に測定するための測定シートであって、シートが無色又は所定の透明度を有することと、所定の間隔の格子が描かれていることを特徴とする。
また、このような測定シートの透明度が異なるもの複数枚をセットにしてもよい。
【考案の効果】
【００１０】
本考案により、個人でシミ抜き等の料金を見積ることが可能になるため、シミ抜き等を依頼したい衣類を自ら業者に持ち込む、又は業者が依頼者を訪れる労力を省くことができる。
【００１１】
また、従来は主観的、感覚的に行っていたシミ抜き等の料金を、シミや汚れ等の面積と程度に基いて、客観的、定量的に設定することが可能になるため、依頼者も料金に納得して依頼することができる。
【００１２】
さらに、シミ抜きを行ってもシミや汚れが完全に除去できないと判断できる場合には、予想される仕上がりと同程度の透明度を持った前記測定シートを用いて業者がどの程度シミを除去できるのかを依頼者に予め提示することで、依頼者との間で仕上がりに対する相互認識を深め、トラブルを減らす効果も生じる。
【考案を実施するための最良の形態】
【００１３】
本願考案に係る測定シートの実施例について図１〜５を参照しながら説明する。本実施例の測定シートは、衣類のシミ抜き業者から依頼者に対して提供されるものであり、業者はインターネットから測定シートの画像データをダウンロードできるようにしておき、依頼者は該測定シートのデータを市販のOHPシートに印刷することで、簡易に測定シートを入手できる。また、店頭での手渡しや郵送など、他の形態での配布でも対応できる。
【実施例１】
【００１４】
本考案の第１の実施例を説明する。図１に示された測定シート１０は、Ａ４サイズのポリエステル製の透明フィルム上に、3 cm×3 cmの正方形のマスによって区切られた格子１１が描かれているものである。素材は、透明であり、かつ、表面に印字可能であればどのようなものでもよい。
【００１５】
料金を見積りたい依頼者は、測定シート１０を衣類上のシミや汚れに上から重ねて、衣類上のシミ２０が占有する測定シート１０上の格子１１の数を測定する。この際、測定シート１０を回転させるなどして、占有する格子１１のマスの数ができるだけ少なくなるように測定することが望ましい。図２のシミは8マスに相当する。
【００１６】
シミ抜きを行ってもシミや汚れが完全に除去されるわけではなく、一般的に薄く残ってしまうため、軽微なシミや汚れについては、シミ抜きを行う前からそれ以上薄くすることができないと判断できるものもある。また、シミや汚れが多数ある場合には、予算の都合上等から依頼者が微小なシミや汚れを省いて、目立つ部分だけを依頼することも想定される。このように軽微なシミや汚れを見積りから省くために、業者は前記測定シート１０を、予め予想される仕上がりと同程度の透明度に設定しておき、依頼者は該測定シート１０を用いて衣類上のシミや汚れを測定することによって、測定シート１０を通すと視認できない軽微なシミや汚れを見積りから省くことができる。
【００１７】
シミ抜き業者は、予めシミや汚れの面積に基いた、例えば図３に示すような料金表を作成しておく。この料金表では、シミや汚れが占有したマスの数に対応させて、1マスを1ポイントとするが、特に色抜きや漂白、色かけが必要な黄変、変色、色ヤケ、色移り、ワイン等による特殊なシミや汚れは、特殊な作業を必要としない通常のシミや汚れと区別し、1マスあたり3ポイントに設定している。依頼者は該料金表を参照して、前記シミや汚れの面積及び種類に対応した料金を見積ることができる。
【００１８】
図４の衣類では通常のシミや汚れが4箇所と特殊なシミや汚れが3箇所あり、それぞれのシミや汚れの場所に測定シート１０で何マスを占有するかを数字で示してある。丸で囲んであるものは特殊なシミや汚れである。それぞれを合計すると、通常のシミや汚れは13マス、特殊なシミや汚れは14マスである。これをポイントに換算すると、通常のシミや汚れは13ポイントで、特殊なシミや汚れは1マスが3ポイントに設定してあるため、42ポイントに相当する。両方の合計が55ポイントになるので、料金体系表から見積り料金は7,000円と決まる。
【００１９】
また、衣類のほつれや穴を修繕する際の料金はシミ抜きの料金とは異なることになるが、同様に測定シート１１を用いてほつれや穴の面積を測定すればよい。その後、上記のようにポイントに換算する際に、1マスを5ポイントにするなどして対応する。
【実施例２】
【００２０】
前記測定シート１０は透明度の異なるもの複数枚をセットにしてもよい。その実施例として、図５に、異なる透明度の4枚がセットになったものを示す。測定シート５０〜５３の使用方法は実施例１と同様であるが、業者は各透明度に応じて個別の料金体系を設定しておき、透明度の低い測定シート５３を通しても認識できるような、程度の高いシミや汚れではシミ抜き料金を割高にする。逆に、測定シート５０よりも透明度の低い測定シートを通すと認識できないような、程度の低いシミや汚れではシミ抜き料金を割安に設定する。これによりシミや汚れの程度を考慮した、より実情に即した料金体系を設定することができる。
【００２１】
また、前記測定シートセットは、仕上がりの程度を分かりやすく提示する際にも利用される。見積り後、依頼者がシミ抜きを依頼することを決め、業者が依頼を受ける際に、依頼者と業者が仕上がりについての認識を深める目的で、業者が予想する仕上がりと同程度の透明度を持った測定シート、例えば測定シート５１を用いて、どの程度シミや汚れを除去できるかを依頼者に視覚的に認識可能な形で提示することができる。その際にデジタルカメラ等でシミ抜き前のシミや汚れの画像データを記録しておき、仕上がり前後の画像を比較することで、シミ抜きの効果を示すこともできる。このとき、測定シートをかざした状態を画像データで残し、シミや汚れがいくつのマス目を占めていたかを記録しておくことによって、シミ抜き後の効果を示すと共にシミ抜き料金の正当性を証明するものとして活用することもできる。
【００２２】
また、前記測定シート１０及び前記測定シート５０〜５３の測定シートセットは、シミや汚れを視認しやすいように、衣類の生地の色に合わせて着色することができる。着色する場合は、青、赤、黄など衣類の生地の色として想定される色で着色された複数枚のシートを用意する。前記測定シートセットを着色する場合は、色ごとに複数セットを用意することになる。
【実施例３】
【００２３】
本考案の別の実施例について説明する。本実施例は、前記測定シートを画像データの形で内部に保持（記憶）する撮影装置であって、この撮影装置を使用することで、シミや汚れ等にシートを重ね合わせた画像として撮影することができ、上記同様に見積りやシミ抜き効果を確認することができるものである。業者はまず、測定シート１０に描かれた格子１１を画像データとしてインターネットを介して配信可能な状態にする。依頼者は携帯電話に代表されるカメラ付きの通信端末（撮影装置）に該格子画像データをダウンロードし、該カメラ付き通信端末のスーパーインポーズ機能を用いて、画像とシミや汚れ等を重ね合わせたものを撮影し、上記料金体系に従ってシミ抜き料金を見積る。この場合、業者は撮影の際に500円硬貨(直径26.5 mm)や1円硬貨(直径20.0 mm)等の既知の大きさのものをシミや汚れの近くに置くことを指定しておき、依頼者は格子１１の正方形に当てはまるように撮影する。これにより各依頼者によって撮影条件が異なったとしても、格子１１とシミや汚れの相対的な大きさを統一することができる。
【００２４】
また、料金体系を参照せずに、前記格子画像データとシミや汚れ等を重ね合わせて撮影した画像をインターネット等を介して業者に送信することによって、簡単に見積りを行ったり、依頼者と業者の間で見積りの確認をすることもできる。
【００２５】
以上は実施例に過ぎず、測定シート１０上の格子１１は必ずしも3 cm×3 cmの正方形で区切ってある必要はない。大きさや形状は用途に合わせて、三角形など適切なものを選ぶことができる。また、前記測定シートセットに含まれる、それぞれ透明度の異なる測定シート５０〜５３の枚数は必ずしも4枚である必要はなく、用途に応じて枚数を増減させてもよい。
【図面の簡単な説明】
【００２６】
【図１】Ａ４のポリエステル製の透明フィルムに3 cm×3 cmの正方形で区切った格子を描いた実施例１の測定シート
【図２】実施例１の測定シートで衣類のシミの測定した例
【図３】実施例１の料金体系表
【図４】実施例１のシミ抜きをする衣類
【図５】実施例２の透明度の異なる測定シートのセット
【符号の説明】
【００２７】
１０…測定シート
１１…格子
２０…衣類上のシミ
５０…透明度４の測定シート
５１…透明度３の測定シート
５２…透明度２の測定シート
５３…透明度１の測定シート
【図１】
0003140929.tif 000003
【図２】
0003140929.tif 000004
【図３】
0003140929.tif 000005
【図４】
0003140929.tif 000006
【図５】
0003140929.tif 000007